(57)【要約】【課題】マッサージ効果を有する導電靴の提供。【解決手段】本考案は一種のマッサージ効果を有する導電靴に関し、特に高、中または低周波を利用して足裏のツボに刺激を与える導電靴を指している。この導電靴には靴、導電ユニット、インソールセット、及び周波数電流発生器が含まれている。導電ユニットは靴内部のインソールセットの裏にあり、ソケットで周波数電流発生器と接続する。導電ユニットはソケットに接続するコードに導電パッドが設けられている。そして、導電パッドにはインソールセットを突き抜ける導電柱があり、この導電柱は導電できるインソールセットを突出して使用者の足裏に接触できる。前述の設計により、パワーサプライで導電ユニットに対して電源を供給し、導電ユニットを通して使用者の足裏のツボを高、中または低周波で刺激してマッサージ効果を与える。このため、いつでもマッサージでき、快適感をもたらす導電靴を提供でき、使用者の健康に役立つ。【選択図】図３
0003130975.tif 000002
【実用新案登録請求の範囲】
【請求項１】
靴本体、導電ユニット、インソールセット及び周波数電流発生器を含み、
該導電ユニットは靴内部に設けられ、該導電ユニットはソケット、コード及び少なくとも一つの導電柱を具え、そのうち、該ソケットは靴に隠れるか露出するように設置され、またコードはソケットと導電柱を接続して通電させ、導電柱は使用者の足裏を刺激する高、中又は低周波を伝送することができ、
該インソールセットは下敷きと上敷きを含めており、その下敷きは靴の下敷きと前述の導電ユニットとの間に設置され、下敷きは導電柱に対応する箇所に穴があり、上敷きは高、中又は低周波を使用者の足裏に伝送できる穴が設けられ、
該周波数電流発生器は使用者が持ち歩けるようになっており、また、該周波数電流発生器は二つのプラグ、二本の電源コード及び周波数電流発生装置を含め、その中、各電源コードのそれぞれのプラグは靴のソケットに繋がっており、導電ユニットと連結し、各電源コードの逆方向の端は高、中又は低周波を発する周波数電流発生装置に接続でき、
以上により、導電ユニットは靴内のインソールセットの下に設けられ、且つ持ち歩ける周波数電流発生器と接続できて供電されるため、導電ユニットが高、中又は低周波を発生でき、使用者の足裏のツボを刺激するマッサージ効果をもたらすことができ、いつでもどこでもマッサージ効果を味わえる導電靴を構成していることを特徴とする請求項１記載のマッサージ効果を有する導電靴。
【請求項２】
靴本体のヒール部の周縁に内外を連結し通す挿し穴があり、導電ユニットのソケットを設置することができ、靴内部の下敷きの表面に挿し穴と連結し通す槽があり、導電ユニットのコードを設置することもできることを特徴とする請求項１記載のマッサージ効果を有する導電靴。
【請求項３】
靴本体はヒールの覆蓋部にガイド槽があり、また、導電ユニットのコードをガイド槽沿いに上の方へ伸ばせるため、靴内部の下敷きの表面にはガイド槽と繋がる層が設けられ、導電ユニットのソケットはヒールの覆蓋部にあるガイド槽の頂上に設置でき、挿入の便利性が高まることを特徴とする請求項１記載のマッサージ効果を有する導電靴。
【請求項４】
導電ユニットの導電柱は導電パッドの表面に設けられ、導電パッドはコードがソケットと接続する逆方向に連結していることを特徴とする請求項１記載のマッサージ効果を有する導電靴。
【請求項５】
導電ユニットの導電パッドと導電柱は導電シリコン、導電ゴム、導電布や導電金属シートなどの軽くて曲折性を持つ導電材質で構成されていることを特徴とする請求項１や請求項４記載のマッサージ効果を有する導電靴造。
【請求項６】
インソールセットの下敷きと上敷きとの間に導電材料で作られたマッサージシートがあり、このマッサージシートは導電柱と接触し、また、マッサージシートの表面には使用者の足裏と接触できる複数の突起があり、上敷きにはそれらの突起に対応する穴が設けられているため、突起はこれらの穴を通して上敷きを突出して使用者の足裏と接触し、使用者の足裏に高、中又は低周波を伝導できることを特徴とする請求項１記載のマッサージ効果を有する導電靴。
【請求項７】
インソールセットの下敷きは軟らかいエマルションや発泡スチールなどの材質で作られたことを特徴とする請求項１や請求項６記載のマッサージ効果を有する導電靴。
【請求項８】
周波数電流発生装置の電源は一般の電池、蓄積電池や太陽電池からによるものであることを特徴とする請求項１記載のマッサージ効果を有する導電靴。
【請求項９】
導電ユニットの導電柱はリベット状の構造を使用できることを特徴とする請求項１記載のマッサージ効果を有する導電靴。
【請求項１０】
靴本体、導電ユニット、インソールセット及び周波数電流発生器を含み、
該靴本体は置きスペースを設け、
該導電ユニットは靴内部に設けられ、少なくとも一つの導電柱を具え、該導電柱は使用者の足裏を刺激する高、中又は低周波を伝送でき、
該インソールセットは下敷きと上敷きを含め、このインソールセットは靴の下敷きと前記導電ユニットとの間に設けられ、且つこの下敷きは導電柱に対応する箇所に穴があり、上敷きには高、中又は低周波を使用者の足裏に伝送するための穴を具え、
該周波数電流発生器は靴内の置きスペースに設けられ、この周波数電流発生器には、高、中又は低周波を供給する周波数電流発生装置が含まれ、この周波数電流発生装置は導電ユニットと連結し、
以上により、導電組は靴内部のインソールセットの下に設置され、持ち歩ける周波数電流発生器と接続して供電されるため、導電ユニットは高、中又は低周波を発生でき、使用者の足裏のツボを刺激するマッサージ効果を与え、いつでもどこでも、マッサージ効果を味わえる導電靴を構成していることを特徴とする請求項１記載のマッサージ効果を有する導電靴。
【請求項１１】
その中、周波数電流生成器はリモコンでコントロールできることを特徴とする請求項１０記載のマッサージ効果を有する導電靴。
【考案の詳細な説明】
【技術分野】
【０００１】
本考案はマッサージ効果を有する靴に係わる技術分野に関するものであり、具体的には、使用者が室内や室外を移動する際に使えることができ、且マッサージ効果を持っている導電靴を指している。
【背景技術】
【０００２】
周知のように、足裏に人体器官に関連するツボがたくさんあると伝統医学ではよく思われている。足裏を適当にマッサージすることにより、体の健康が促進される。また、マッサージ効果を高めるには、たくさんの創作が現れた。しかし、伝統のマッサージ靴は主に、インソールの表面の突起でマッサージ効果をもたらせるが、使用者がそのような靴を履いて歩く時は突起で長時間に足裏のツボが圧迫され、足裏に痛みなどの不快感が生じてしまうので、履くや使用する時間は長くできない。まして、前述の痛みや不快感を解消するには、使用者は別の履き替え靴を用意しなければならないし、マッサージ靴を使用せずに置きっぱなしして無駄になってしまうこともある。
【０００３】
さらに、突起を小さくするか、やわらかい材質にして前述の痛みや不快感をなくしようという業者はいるが、これらのやり方では、ツボに対する刺激効果を低減させ、マッサージ効果を影響してしまう。これらの問題を解消すると共に、足裏のマッサージ効果を影響しないために、低電圧を利用して足裏のツボを刺激する電気刺激による治療靴が開発された。それは第九図が示すように、この治療靴（５０）は、靴本体（５１）、インソール（５２）及びパワーサプライ（５３）を含めている。中の靴本体（５１）には小穴（５１１）が開けられ、小穴（５１１）には導電用の金属ワイヤーがある。インソール（５２）は靴本体（５１）内にあり、導電できる鉄シートではあるし、インソール（５２）には複数の突起があり、金属ワイヤーと繋いでいる。パワーサプライ（５３）は靴本体（５１）における小穴（５１１）の電源コード（５３１）を介して金属ワイヤーに通電させ、インソール（５２）を導電してマッサージ効果を発生させる。
【０００４】
だが、以上に述べられた現にある治療靴（５０）のインソール（５２）は鉄シートの材質であるため、長時間に立ったままに使用すれば、足裏は硬い鉄シートに貼り付けて不快感が生じてしまうし、パワーサプライ（５３）は一定の体積と重量があるため、使用者は持ち歩けない。または、電源コード（５３１）の長さの制限で、使用者は限られている範囲内で治療靴（５０）を使用することしかできない。このように、いつでも、どこでも使えるわけではないので、その実用性が下がってしまい、マッサージ効果は向上できない。
【０００５】
以上に鑑み、現のマッサージ靴と治療靴にはそれぞれの問題があり、使用者のニーズは満足されていない現状を考え、本考案者は前述のマッサージ靴が持つ使用上の問題を検討しながら、関連産業で長年に渡った研究と経験を生かして解決方法を見つけ出そうとしてきた。長期の努力を以て研究と発展をした結果に、マッサージ効果を有する導電靴の開発に成功した。これで、現のマッサージ靴が、使用範囲が限られた、そして、長時間に使用できないという問題を解消することができた。
【考案の開示】
【考案が解決しようとする課題】
【０００６】
そのため、本考案の主要目的は、一種のマッサージ効果を有する導電靴を提供し、使用者がいつでもどこでも、室内や室外でも、旅行する時でも使用でき、靴を履き替えないで同じ靴でマッサージ効果を味わえるよう、実用性を向上させることにある。
【０００７】
また、本考案のもう一つの目的は、マッサージ効果を有する導電靴を提供し、使用者は長時間に使用でき、マッサージ効果を高めることにある。
【０００８】
以上のため、本考案は以下の技術手段を介してこれらの目的と効能を具体的に実現している。この導電靴には以下のものが含まれている：
靴本体。導電ユニット：靴内部に設けられており、ソケット、コード及び導電柱を含めている。ソケットは靴に隠れるや露出する形で設置されることができる。コードは靴内に隠れて設けられ、ソケットと導電柱との接続と通電に使われる。しかも、導電柱は使用者の足裏を刺激する高、中、又は低周波を伝送することができる。インソールセット：下敷きと上敷きを含めている。その下敷きは靴の下敷きと前述の導電ユニットとの間にあり、しかも、導電柱に対応する位置に穴が開いている。そして、上敷きには高、中又は低周波を使用者の足裏に伝送する穴が設けられている。周波数電流発生器：使用者が持ち歩けるようになっている。当該周波数発生器は二つのプラグ、二本の電源コード及び周波数電流発生装置を含めている。各電源コードのプラグは靴に設けられているソケットと導電ユニットと接続し、またも、その片端は高、中又は低周波を発する周波数電流発生装置に接続できる。
【０００９】
本考案は更に以下の技術手段を以てその他の目的と効果を具体的に実現することができる。
【００１０】
例えば：靴の裏のヒール周縁に導電ユニットを設置するため、内外を連結する挿し穴を設け、且つ靴内部の下敷きの表面にはこの挿し穴を突き通す槽が形成されており、導電ユニットのコードを埋めることができる。
【００１１】
靴はヒールの覆蓋部にガイド槽が形成されているし、靴内部の下敷きの表面にはガイド槽に連結し通す槽が形成されているため、導電ユニットのコードはガイド槽沿いに上の方へ伸ばせる。また、導電ユニットのソケットはヒールの覆蓋部のガイド槽の頂上に設置できるので、挿入の便利性が高められる。
【００１２】
導電ユニットの導電柱は導電パッドの頂上に設けられ、導電パッドはコードがソケットに接続する方向と逆の端に連結している。
【００１３】
導電ユニットの導電パッドと導電柱は導電シリコン、導電ボム、導電布或いは導電金属シートなどの軽くて曲折性の良い導電材質を利用している。
【００１４】
インソールセットは下敷きと上敷きとの間に導電材料によって製造されたマッサージシートが設けられている。このマッサージシートの裏と導電柱が接触し、また、マッサージシートの表面には使用者の足裏と接触できる複数の突起が設けられている。そして上敷きはこれらの突起に対応する穴があるため、突起は上敷きを突き抜けて使用者の足裏と接触し、高、中又は低周波を足裏に伝送できる。
【００１５】
インソールセットの下敷きは軟らかいエマルションや発泡スチールなどの材質によって作られている。
【００１６】
周波数電流発生装置は一般の電池、蓄積電池や太陽電池を使用している。
【００１７】
前述の技術手段の利用により、本考案は周波数電流発生器で高、中又は低周波を提供でき、且つ導電ユニットを以て使用者の足裏のツボに刺激とマッサージの効果を与えることができる。このため、いつでもどこでもマッサージ効果と快適性を高められる導電靴を提供するができる。この導電靴は周波数電流発生器に接続する際に、マッサージ靴として使えるし、接続しない時は一般のレジャー用靴、スポーツ靴、紳士靴またはサンダルとしても使えるので、導電靴の付加価値が上がり、製品としての競争力と経済性も高まる。
【課題を解決するための手段】
【００１８】
請求項１の考案は、靴本体、導電ユニット、インソールセット及び周波数電流発生器を含み、
該導電ユニットは靴内部に設けられ、該導電ユニットはソケット、コード及び少なくとも一つの導電柱を具え、そのうち、該ソケットは靴に隠れるか露出するように設置され、またコードはソケットと導電柱を接続して通電させ、導電柱は使用者の足裏を刺激する高、中又は低周波を伝送することができ、
該インソールセットは下敷きと上敷きを含めており、その下敷きは靴の下敷きと前述の導電ユニットとの間に設置され、下敷きは導電柱に対応する箇所に穴があり、上敷きは高、中又は低周波を使用者の足裏に伝送できる穴が設けられ、
該周波数電流発生器は使用者が持ち歩けるようになっており、また、該周波数電流発生器は二つのプラグ、二本の電源コード及び周波数電流発生装置を含め、その中、各電源コードのそれぞれのプラグは靴のソケットに繋がっており、導電ユニットと連結し、各電源コードの逆方向の端は高、中又は低周波を発する周波数電流発生装置に接続でき、
以上により、導電ユニットは靴内のインソールセットの下に設けられ、且つ持ち歩ける周波数電流発生器と接続できて供電されるため、導電ユニットが高、中又は低周波を発生でき、使用者の足裏のツボを刺激するマッサージ効果をもたらすことができ、いつでもどこでもマッサージ効果を味わえる導電靴を構成していることを特徴とする請求項１記載のマッサージ効果を有する導電靴としている。
請求項２の考案は、靴本体のヒール部の周縁に内外を連結し通す挿し穴があり、導電ユニットのソケットを設置することができ、靴内部の下敷きの表面に挿し穴と連結し通す槽があり、導電ユニットのコードを設置することもできることを特徴とする請求項１記載のマッサージ効果を有する導電靴としている。
請求項３の考案は、靴本体はヒールの覆蓋部にガイド槽があり、また、導電ユニットのコードをガイド槽沿いに上の方へ伸ばせるため、靴内部の下敷きの表面にはガイド槽と繋がる層が設けられ、導電ユニットのソケットはヒールの覆蓋部にあるガイド槽の頂上に設置でき、挿入の便利性が高まることを特徴とする請求項１記載のマッサージ効果を有する導電靴としている。
請求項４の考案は、導電ユニットの導電柱は導電パッドの表面に設けられ、導電パッドはコードがソケットと接続する逆方向に連結していることを特徴とする請求項１記載のマッサージ効果を有する導電靴としている。
請求項５の考案は、導電ユニットの導電パッドと導電柱は導電シリコン、導電ゴム、導電布や導電金属シートなどの軽くて曲折性を持つ導電材質で構成されていることを特徴とする請求項１や請求項４記載のマッサージ効果を有する導電靴造としている。
請求項６の考案は、インソールセットの下敷きと上敷きとの間に導電材料で作られたマッサージシートがあり、このマッサージシートは導電柱と接触し、また、マッサージシートの表面には使用者の足裏と接触できる複数の突起があり、上敷きにはそれらの突起に対応する穴が設けられているため、突起はこれらの穴を通して上敷きを突出して使用者の足裏と接触し、使用者の足裏に高、中又は低周波を伝導できることを特徴とする請求項１記載のマッサージ効果を有する導電靴としている。
請求項７の考案は、インソールセットの下敷きは軟らかいエマルションや発泡スチールなどの材質で作られたことを特徴とする請求項１記載のマッサージ効果を有する導電靴としている。
請求項８の考案は、周波数電流発生装置の電源は一般の電池、蓄積電池や太陽電池からによるものであることを特徴とする請求項１記載のマッサージ効果を有する導電靴としている。
請求項９の考案は、導電ユニットの導電柱はリベット状の構造を使用できることを特徴とする請求項１記載のマッサージ効果を有する導電靴としている。
請求項１０の考案は、靴本体、導電ユニット、インソールセット及び周波数電流発生器を含み、
該靴本体は置きスペースを設け、
該導電ユニットは靴内部に設けられ、少なくとも一つの導電柱を具え、該導電柱は使用者の足裏を刺激する高、中又は低周波を伝送でき、
該インソールセットは下敷きと上敷きを含め、このインソールセットは靴の下敷きと前記導電ユニットとの間に設けられ、且つこの下敷きは導電柱に対応する箇所に穴があり、上敷きには高、中又は低周波を使用者の足裏に伝送するための穴を具え、
該周波数電流発生器は靴内の置きスペースに設けられ、この周波数電流発生器には、高、中又は低周波を供給する周波数電流発生装置が含まれ、この周波数電流発生装置は導電ユニットと連結し、
以上により、導電組は靴内部のインソールセットの下に設置され、持ち歩ける周波数電流発生器と接続して供電されるため、導電ユニットは高、中又は低周波を発生でき、使用者の足裏のツボを刺激するマッサージ効果を与え、いつでもどこでも、マッサージ効果を味わえる導電靴を構成していることを特徴とする請求項１記載のマッサージ効果を有する導電靴としている。
請求項１１の考案は、その中、周波数電流生成器はリモコンでコントロールできることを特徴とする請求項１０記載のマッサージ効果を有する導電靴としている。
【考案の効果】
【００１９】
本考案はマッサージ効果を有する導電靴を提供し、使用者がいつでもどこでも、室内や室外でも、旅行する時でも使用でき、靴を履き替えないで同じ靴でマッサージ効果を味わえるよう、実用性を向上させることにある。使用者は長時間に使用でき、マッサージ効果を高めることにある。
【考案を実施するための最良の形態】
【００２０】
本考案はマッサージ効果を有する導電靴であり、第一、二図を参照すること。当該導電靴には靴本体（１０）、導電ユニット（２０）、インソールセット（３０）、及び周波数電流発生器（４０）が含まれている。中の導電ユニット（２０）は靴本体（１０）内部のインソールセット（３０）の下に設置される持ち歩ける周波数電流発生器（４０）であり、導電ユニット（２０）に接続して供電するため、導電ユニット（２０）は高、中又は低周波を発生して使用者の足裏のツボに刺激するようなマッサージ効果を与えられる。
【００２１】
本考案に関するより好ましい実施例の詳細構成は図１、図２及び図３が示すように、靴本体（１０）のヒール部（１００）の周縁には内外を連結し通す挿し穴（１１）がある。靴本体（１０）内部の下敷きの表面にはこの挿し穴（１１）と連結し通す槽（１２）が設けられている。
【００２２】
当該導電ユニット（２０）にはソケット（２１）、コード（２２）、導電パッド（２３）及び導電柱（２４）が含まれている。中のソケット（２１）は靴本体（１０）のヒール部（１００）の挿し穴（１１）に埋めて設置されている。コード（２２）は靴本体（１０）の槽（１２）に設けられ、コード（２２）の両端はそれぞれにソケット（２１）と導電パッド（２３）に連結している。導電パッド（２３）は靴本体（１０）の下敷きの頂上とインソールセット（３０）との間に、そして、導電柱（２４）は導電パッド（２３）の表面に、設けられている。導電柱（２４）はインソールセット（３０）を突出して使用者の足裏と接触するようになっている。導電パッド（２３）と導電柱（２４）は導電シリコン、導電ゴム、導電布や導電金属シートなどの軽くて曲折性が優れる導電材質によって構成される。
【００２３】
また、インソールセット（３０）には下敷き（３１）、マッサージシート（３２）、及び上敷き（３３）が含まれている。中の下敷き（３１）は靴本体（１０）の下敷きと導電パッド（２３）の表面にある。この下敷き（３１）は導電パッド（２３）における導電柱（２４）に対応する箇所に穴（３１１）があり、導電柱（２４）はこの穴（３１１）を突出している。下敷き（３１）は軟らかいエマルションや発泡スチールなどの材質で作られている。マッサージシート（３２）は下敷き（３１）の表面に設置され、その裏は導電柱（２４）と接触しているし、マッサージシート（３２）の表面には使用者の足と接触できる複数の突起（３２１）があり、マッサージシート（３２）は導電材料で作られ、使用者の足裏に電圧を伝送できる。上敷き（３３）は滑り止めと排汗効果を有する不織布などで製造されており、しかも、マッサージシート（３２）におけるそれぞれの突起（３２１）に対応する位置に穴（３３１）があるため、突起（３２１）はこれらの穴（３３１）を突出して使用者の足裏と接触できる。
【００２４】
また、周波数電流発生器（４０）は使用者が持ち歩けるようになっている。それには二つのプラグ（４１）、二本の電源コード（４２）及び一つの周波数電流発生装置（４３）が含まれている。中の電源コード（４２）に接続するそれぞれのプラグ（４１）は二足の靴本体（１０）の挿し穴（１１）にあるソケット（２１）と導電ユニット（２０）に接続できる。電源コード（４２）のもう一方の端は高、中又は低周波数の周波数電流発生装置（４３）に接続できる。この周波数電流発生装置（４３）の電源は一般の電池、蓄積電池、燃料電池や太陽電池を利用することができる。高、中又は低周波は電源コード（４２）、プラグ（４１）とソケット（２１）を介して導電ユニット（２０）の導電パッド（２３）と導電柱（２４）に伝送でき、インソールセット（３０）のマッサージシート（３２）を使用者の足裏に対して高、中又は低周波の刺激作用を起こさせ、マッサージ効果を実現する。
【００２５】
以上により、いつでもどこでも使用でき、マッサージ効果を持つ導電靴を構成している。
【００２６】
本考案におけるより好ましい実施例を実際に運用する際には、図３及び図４を参照すること。周波数電流発生器（４０）をONにすれば、周波数電流発生装置（４３）は電源コード（４２）、プラグ（４１）とソケット（２１）を通して導電ユニット（２０）の導電パッド（２３）に伝送でき、更に導電柱（２４）を介して高、中又は低周波を連結しているインソールセット（３０）のマッサージシート（３２）に伝導することにより、マッサージシート（３２）の突起（３３）を使用者の足裏と接触させ、高、中又は低周波で足裏のツボを刺激するマッサージ効果を発生させる。これと共に、本考案におけるコンパクトで体積が小さい持ち歩ける周波数電流発生器（４０）の設計により、使用者はいつでもどこでも本考案の導電靴を利用できるので、本考案の実用性は高まる。
【００２７】
更に、本考案は軟らかい下敷き（３１）とマッサージシート（３２）及び曲折性を持つ導電パッド（２３）を利用しているので、使用者が歩く時には不快感がなく、マッサージ靴でも、一般のレジャー用靴、紳士靴、日常靴（図７が示すように）などとして使用できるだけではなく、快適なマッサージ効果をも提供できるので、本考案の経済性は大幅に上がる。
【００２８】
本考案はまた違う実施例がある。図５が示すように、靴本体（１０）はヒールの覆蓋部（１５）にガイド槽（１６）がある。このガイド槽（１６）は靴本体（１０）の下敷きの槽（１２）に対応している。導電ユニット（２０）のコード（２２）はガイド槽（１６）沿いに上の方へ伸ばせ、導電ユニット（２０）のソケット（２１）はヒールの覆蓋部（１５）のガイド槽（１６）の頂上に設けられることができ、周波数電流発生器（４０）のプラグ（４１）は上から下へ挿入できるため、挿入する際の便利性が良いし、ぶつかって落とされることを抑止できる。これもまた、前述の長所と実用価値がある。
【００２９】
さらに、図６では本考案の別の実施例を示している。ここで、インソールセット（３０）は下敷き（３１）と上敷き（３３）を含めている。中の下敷き（３１）は靴本体（１０）の下敷きと前述の導電パッド（２３）の表面に設けられ、そして、下敷き（３１）が導電パッド（２３）の導電柱（２４）に対応する箇所に穴（３１１）がある。この導電柱（２４）はリベット状の構造でも良い。導電柱（２４）は穴（３１１）を突き抜け、下敷き（３１）は軟らかいエマルションや発泡スチールなどの材質によって製造される。また、上敷き（３３）は滑り止めと排汗効果を持つ不織布で作られ、上敷き（３３）が対応する下敷き（３１）を突出す導電柱（２４）の位置に穴（３３２）があるため、導電柱（２４）は穴（３３２）を通過して上敷き（３３）を突き抜けて使用者の足裏と接触できる。
【００３０】
本考案はまたもう一つの実施例があり、図８に示されている。二足の靴本体（１０）はヒールの覆蓋部（１５）周縁にそれぞれの置きスペース（１７）がある。置きスペース（１７）内にはそれぞれの周波数電流発生器（４０）が設けられている。この二つの周波数電流発生器（４０）の周波数電流発生装置（４３）は導電ユニット（２０）の導電パッド（２３）と連結している。周波数電流発生器（４０）はリモコン（４５）で操作できるため、使用者の行動便利性が促進できる。
【図面の簡単な説明】
【００３１】
【図１】本考案の導電靴の立体外観表示図である。
【図２】本考案の各構成部と関連性を説明するための本考案の導電靴の立体分解図である。
【図３】組立完成後の内部状態を説明するための本考案の導電靴の縦方向の断面表示図である。
【図４】本考案の導電靴が実際に使用される際の参考表示図である。
【図５】本考案の導電靴のもう一つの実施例における立体外観表示図である。
【図６】本考案の導電靴のまた一つの実施例における立体分解図である。
【図７】本考案の導電靴を一般の日常用靴として使用する実施態様表示図である。
【図８】本考案の導電靴のまた別の実施例における立体外観表示図である。
【図９】従来の治療靴の縦方向の断面表示図である。
【符号の説明】
【００３２】
１０、５１  靴本体
１１  挿し穴
１２  槽
１５  ヒールの覆蓋部
１６  ガイド槽
１７  設置スペース
２０  導電ユニット
２１  ソケット
２２  コード
２３  導電パッド
２４  導電柱
３０  インソールセット
３１  下敷き
３２  マッサージシート
３３  上敷き
４０  周波数電流発生器
４１  プラグ
４２  電源コード
４３  周波数電流発生装置
４５  リモコン
５０  治療靴
５２  インソール
５３  パワーサプライ
１００  ヒール部
３１１、３３１，３３２  穴
３２１  突起
５１１  小穴
５３１  電源コード
【図１】
0003130975.tif 000003
【図２】
0003130975.tif 000004
【図３】
0003130975.tif 000005
【図４】
0003130975.tif 000006
【図５】
0003130975.tif 000007
【図６】
0003130975.tif 000008
【図７】
0003130975.tif 000009
【図８】
0003130975.tif 000010
【図９】
0003130975.tif 000011
【手続補正書】
【提出日】平成18年12月21日(2006.12.21)
【手続補正１】
【補正対象書類名】実用新案登録請求の範囲
【補正対象項目名】全文
【補正方法】変更
【補正の内容】
【実用新案登録請求の範囲】
【請求項１】
靴本体、導電ユニット、インソールセット及び周波数電流発生器を含み、
該導電ユニットは靴内部に設けられ、該導電ユニットはソケット、コード及び少なくとも一つの導電柱を具え、そのうち、該ソケットは靴に隠れるか露出するように設置され、またコードはソケットと導電柱を接続して通電させ、導電柱は使用者の足裏を刺激する高、中又は低周波を伝送することができ、
該インソールセットは下敷きと上敷きを含めており、その下敷きは靴の下敷きと前述の導電ユニットとの間に設置され、下敷きは導電柱に対応する箇所に穴があり、上敷きは高、中又は低周波を使用者の足裏に伝送できる穴が設けられ、
該周波数電流発生器は使用者が持ち歩けるようになっており、また、該周波数電流発生器は二つのプラグ、二本の電源コード及び周波数電流発生装置を含め、その中、各電源コードのそれぞれのプラグは靴のソケットに繋がっており、導電ユニットと連結し、各電源コードの逆方向の端は高、中又は低周波を発する周波数電流発生装置に接続でき、
以上により、導電ユニットは靴内のインソールセットの下に設けられ、且つ持ち歩ける周波数電流発生器と接続できて供電されるため、導電ユニットが高、中又は低周波を発生でき、使用者の足裏のツボを刺激するマッサージ効果をもたらすことができ、いつでもどこでもマッサージ効果を味わえる導電靴を構成していることを特徴とする請求項１記載のマッサージ効果を有する導電靴。
【請求項２】
靴本体のヒール部の周縁に内外を連結し通す挿し穴があり、導電ユニットのソケットを設置することができ、靴内部の下敷きの表面に挿し穴と連結し通す槽があり、導電ユニットのコードを設置することもできることを特徴とする請求項１記載のマッサージ効果を有する導電靴。
【請求項３】
靴本体はヒールの覆蓋部にガイド槽があり、また、導電ユニットのコードをガイド槽沿いに上の方へ伸ばせるため、靴内部の下敷きの表面にはガイド槽と繋がる層が設けられ、導電ユニットのソケットはヒールの覆蓋部にあるガイド槽の頂上に設置でき、挿入の便利性が高まることを特徴とする請求項１記載のマッサージ効果を有する導電靴。
【請求項４】
導電ユニットの導電柱は導電パッドの表面に設けられ、導電パッドはコードがソケットと接続する逆方向に連結していることを特徴とする請求項１記載のマッサージ効果を有する導電靴。
【請求項５】
導電ユニットの導電パッドと導電柱は導電シリコン、導電ゴム、導電布や導電金属シートなどの軽くて曲折性を持つ導電材質で構成されていることを特徴とする請求項１または請求項４記載のマッサージ効果を有する導電靴。
【請求項６】
インソールセットの下敷きと上敷きとの間に導電材料で作られたマッサージシートがあり、このマッサージシートは導電柱と接触し、また、マッサージシートの表面には使用者の足裏と接触できる複数の突起があり、上敷きにはそれらの突起に対応する穴が設けられているため、突起はこれらの穴を通して上敷きを突出して使用者の足裏と接触し、使用者の足裏に高、中又は低周波を伝導できることを特徴とする請求項１記載のマッサージ効果を有する導電靴。
【請求項７】
インソールセットの下敷きは軟らかいエマルションや発泡スチールなどの材質で作られたことを特徴とする請求項１または請求項６記載のマッサージ効果を有する導電靴。
【請求項８】
周波数電流発生装置の電源は一般の電池、蓄積電池や太陽電池からによるものであることを特徴とする請求項１記載のマッサージ効果を有する導電靴。
【請求項９】
導電ユニットの導電柱はリベット状の構造を使用できることを特徴とする請求項１記載のマッサージ効果を有する導電靴。
【請求項１０】
靴本体、導電ユニット、インソールセット及び周波数電流発生器を含み、
該靴本体は置きスペースを設け、
該導電ユニットは靴内部に設けられ、少なくとも一つの導電柱を具え、該導電柱は使用者の足裏を刺激する高、中又は低周波を伝送でき、
該インソールセットは下敷きと上敷きを含め、このインソールセットは靴の下敷きと前記導電ユニットとの間に設けられ、且つこの下敷きは導電柱に対応する箇所に穴があり、上敷きには高、中又は低周波を使用者の足裏に伝送するための穴を具え、
該周波数電流発生器は靴内の置きスペースに設けられ、この周波数電流発生器には、高、中又は低周波を供給する周波数電流発生装置が含まれ、この周波数電流発生装置は導電ユニットと連結し、
以上により、導電組は靴内部のインソールセットの下に設置され、持ち歩ける周波数電流発生器と接続して供電されるため、導電ユニットは高、中又は低周波を発生でき、使用者の足裏のツボを刺激するマッサージ効果を与え、いつでもどこでも、マッサージ効果を味わえる導電靴を構成していることを特徴とする請求項１記載のマッサージ効果を有する導電靴。
【請求項１１】
その中、周波数電流生成器はリモコンでコントロールできることを特徴とする請求項１０記載のマッサージ効果を有する導電靴。
【手続補正２】
【補正対象書類名】明細書
【補正対象項目名】００１８
【補正方法】変更
【補正の内容】
【００１８】
請求項１の考案は、靴本体、導電ユニット、インソールセット及び周波数電流発生器を含み、
該導電ユニットは靴内部に設けられ、該導電ユニットはソケット、コード及び少なくとも一つの導電柱を具え、そのうち、該ソケットは靴に隠れるか露出するように設置され、またコードはソケットと導電柱を接続して通電させ、導電柱は使用者の足裏を刺激する高、中又は低周波を伝送することができ、
該インソールセットは下敷きと上敷きを含めており、その下敷きは靴の下敷きと前述の導電ユニットとの間に設置され、下敷きは導電柱に対応する箇所に穴があり、上敷きは高、中又は低周波を使用者の足裏に伝送できる穴が設けられ、
該周波数電流発生器は使用者が持ち歩けるようになっており、また、該周波数電流発生器は二つのプラグ、二本の電源コード及び周波数電流発生装置を含め、その中、各電源コードのそれぞれのプラグは靴のソケットに繋がっており、導電ユニットと連結し、各電源コードの逆方向の端は高、中又は低周波を発する周波数電流発生装置に接続でき、
以上により、導電ユニットは靴内のインソールセットの下に設けられ、且つ持ち歩ける周波数電流発生器と接続できて供電されるため、導電ユニットが高、中又は低周波を発生でき、使用者の足裏のツボを刺激するマッサージ効果をもたらすことができ、いつでもどこでもマッサージ効果を味わえる導電靴を構成していることを特徴とする請求項１記載のマッサージ効果を有する導電靴としている。
請求項２の考案は、靴本体のヒール部の周縁に内外を連結し通す挿し穴があり、導電ユニットのソケットを設置することができ、靴内部の下敷きの表面に挿し穴と連結し通す槽があり、導電ユニットのコードを設置することもできることを特徴とする請求項１記載のマッサージ効果を有する導電靴としている。
請求項３の考案は、靴本体はヒールの覆蓋部にガイド槽があり、また、導電ユニットのコードをガイド槽沿いに上の方へ伸ばせるため、靴内部の下敷きの表面にはガイド槽と繋がる層が設けられ、導電ユニットのソケットはヒールの覆蓋部にあるガイド槽の頂上に設置でき、挿入の便利性が高まることを特徴とする請求項１記載のマッサージ効果を有する導電靴としている。
請求項４の考案は、導電ユニットの導電柱は導電パッドの表面に設けられ、導電パッドはコードがソケットと接続する逆方向に連結していることを特徴とする請求項１記載のマッサージ効果を有する導電靴としている。
請求項５の考案は、導電ユニットの導電パッドと導電柱は導電シリコン、導電ゴム、導電布や導電金属シートなどの軽くて曲折性を持つ導電材質で構成されていることを特徴とする請求項１または請求項４記載のマッサージ効果を有する導電靴としている。
請求項６の考案は、インソールセットの下敷きと上敷きとの間に導電材料で作られたマッサージシートがあり、このマッサージシートは導電柱と接触し、また、マッサージシートの表面には使用者の足裏と接触できる複数の突起があり、上敷きにはそれらの突起に対応する穴が設けられているため、突起はこれらの穴を通して上敷きを突出して使用者の足裏と接触し、使用者の足裏に高、中又は低周波を伝導できることを特徴とする請求項１記載のマッサージ効果を有する導電靴としている。
請求項７の考案は、インソールセットの下敷きは軟らかいエマルションや発泡スチールなどの材質で作られたことを特徴とする請求項１または請求項６記載のマッサージ効果を有する導電靴としている。
請求項８の考案は、周波数電流発生装置の電源は一般の電池、蓄積電池や太陽電池からによるものであることを特徴とする請求項１記載のマッサージ効果を有する導電靴としている。
請求項９の考案は、導電ユニットの導電柱はリベット状の構造を使用できることを特徴とする請求項１記載のマッサージ効果を有する導電靴としている。
請求項１０の考案は、靴本体、導電ユニット、インソールセット及び周波数電流発生器を含み、
該靴本体は置きスペースを設け、
該導電ユニットは靴内部に設けられ、少なくとも一つの導電柱を具え、該導電柱は使用者の足裏を刺激する高、中又は低周波を伝送でき、
該インソールセットは下敷きと上敷きを含め、このインソールセットは靴の下敷きと前記導電ユニットとの間に設けられ、且つこの下敷きは導電柱に対応する箇所に穴があり、上敷きには高、中又は低周波を使用者の足裏に伝送するための穴を具え、
該周波数電流発生器は靴内の置きスペースに設けられ、この周波数電流発生器には、高、中又は低周波を供給する周波数電流発生装置が含まれ、この周波数電流発生装置は導電ユニットと連結し、
以上により、導電組は靴内部のインソールセットの下に設置され、持ち歩ける周波数電流発生器と接続して供電されるため、導電ユニットは高、中又は低周波を発生でき、使用者の足裏のツボを刺激するマッサージ効果を与え、いつでもどこでも、マッサージ効果を味わえる導電靴を構成していることを特徴とする請求項１記載のマッサージ効果を有する導電靴としている。
請求項１１の考案は、その中、周波数電流生成器はリモコンでコントロールできることを特徴とする請求項１０記載のマッサージ効果を有する導電靴としている。
【手続補正書】
【提出日】平成19年2月9日(2007.2.9)
【手続補正１】
【補正対象書類名】実用新案登録請求の範囲
【補正対象項目名】全文
【補正方法】変更
【補正の内容】
【実用新案登録請求の範囲】
【請求項１】
靴本体、導電ユニット、インソールセット及び周波数電流発生器を含み、
該導電ユニットは靴内部に設けられ、該導電ユニットはソケット、コード及び少なくとも一つの導電柱を具え、そのうち、該ソケットは靴に隠れるか露出するように設置され、またコードはソケットと導電柱を接続して通電させ、導電柱は使用者の足裏を刺激する高、中又は低周波を伝送することができ、
該インソールセットは下敷きと上敷きを含めており、その下敷きは靴の下敷きと前述の導電ユニットとの間に設置され、下敷きは導電柱に対応する箇所に穴があり、上敷きは高、中又は低周波を使用者の足裏に伝送できる穴が設けられ、
該周波数電流発生器は使用者が持ち歩けるようになっており、また、該周波数電流発生器は二つのプラグ、二本の電源コード及び周波数電流発生装置を含め、その中、各電源コードのそれぞれのプラグは靴のソケットに繋がっており、導電ユニットと連結し、各電源コードの逆方向の端は高、中又は低周波を発する周波数電流発生装置に接続でき、
以上により、導電ユニットは靴内のインソールセットの下に設けられ、且つ持ち歩ける周波数電流発生器と接続できて供電されるため、導電ユニットが高、中又は低周波を発生でき、使用者の足裏のツボを刺激するマッサージ効果をもたらすことができ、いつでもどこでもマッサージ効果を味わえる導電靴を構成していることを特徴とするマッサージ効果を有する導電靴。
【請求項２】
靴本体のヒール部の周縁に内外を連結し通す挿し穴があり、導電ユニットのソケットを設置することができ、靴内部の下敷きの表面に挿し穴と連結し通す槽があり、導電ユニットのコードを設置することもできることを特徴とする請求項１記載のマッサージ効果を有する導電靴。
【請求項３】
靴本体はヒールの覆蓋部にガイド槽があり、また、導電ユニットのコードをガイド槽沿いに上の方へ伸ばせるため、靴内部の下敷きの表面にはガイド槽と繋がる層が設けられ、導電ユニットのソケットはヒールの覆蓋部にあるガイド槽の頂上に設置でき、挿入の便利性が高まることを特徴とする請求項１記載のマッサージ効果を有する導電靴。
【請求項４】
導電ユニットの導電柱は導電パッドの表面に設けられ、導電パッドはコードがソケットと接続する逆方向に連結していることを特徴とする請求項１記載のマッサージ効果を有する導電靴。
【請求項５】
導電ユニットの導電パッドと導電柱は導電シリコン、導電ゴム、導電布や導電金属シートなどの軽くて曲折性を持つ導電材質で構成されていることを特徴とする請求項１または請求項４記載のマッサージ効果を有する導電靴。
【請求項６】
インソールセットの下敷きと上敷きとの間に導電材料で作られたマッサージシートがあり、このマッサージシートは導電柱と接触し、また、マッサージシートの表面には使用者の足裏と接触できる複数の突起があり、上敷きにはそれらの突起に対応する穴が設けられているため、突起はこれらの穴を通して上敷きを突出して使用者の足裏と接触し、使用者の足裏に高、中又は低周波を伝導できることを特徴とする請求項１記載のマッサージ効果を有する導電靴。
【請求項７】
インソールセットの下敷きは軟らかいエマルションや発泡スチールなどの材質で作られたことを特徴とする請求項１または請求項６記載のマッサージ効果を有する導電靴。
【請求項８】
周波数電流発生装置の電源は一般の電池、蓄積電池や太陽電池からによるものであることを特徴とする請求項１記載のマッサージ効果を有する導電靴。
【請求項９】
導電ユニットの導電柱はリベット状の構造を使用できることを特徴とする請求項１記載のマッサージ効果を有する導電靴。
【請求項１０】
靴本体、導電ユニット、インソールセット及び周波数電流発生器を含み、
該靴本体は置きスペースを設け、
該導電ユニットは靴内部に設けられ、少なくとも一つの導電柱を具え、該導電柱は使用者の足裏を刺激する高、中又は低周波を伝送でき、
該インソールセットは下敷きと上敷きを含め、このインソールセットは靴の下敷きと前記導電ユニットとの間に設けられ、且つこの下敷きは導電柱に対応する箇所に穴があり、上敷きには高、中又は低周波を使用者の足裏に伝送するための穴を具え、
該周波数電流発生器は靴内の置きスペースに設けられ、この周波数電流発生器には、高、中又は低周波を供給する周波数電流発生装置が含まれ、、この周波数電流発生装置は導電ユニットと連結し、
以上により、導電組は靴内部のインソールセットの下に設置され、持ち歩ける周波数電流発生器と接続して供電されるため、導電ユニットは高、中又は低周波を発生でき、使用者の足裏のツボを刺激するマッサージ効果を与え、いつでもどこでも、マッサージ効果を味わえる導電靴を構成していることを特徴とする請求項１記載のマッサージ効果を有する導電靴。
【請求項１１】
その中、周波数電流生成器はリモコンでコントロールできることを特徴とする請求項１０記載のマッサージ効果を有する導電靴。
【手続補正２】
【補正対象書類名】明細書
【補正対象項目名】００１８
【補正方法】変更
【補正の内容】
【００１８】
請求項１の考案は、靴本体、導電ユニット、インソールセット及び周波数電流発生器を含み、
該導電ユニットは靴内部に設けられ、該導電ユニットはソケット、コード及び少なくとも一つの導電柱を具え、そのうち、該ソケットは靴に隠れるか露出するように設置され、またコードはソケットと導電柱を接続して通電させ、導電柱は使用者の足裏を刺激する高、中又は低周波を伝送することができ、
該インソールセットは下敷きと上敷きを含めており、その下敷きは靴の下敷きと前述の導電ユニットとの間に設置され、下敷きは導電柱に対応する箇所に穴があり、上敷きは高、中又は低周波を使用者の足裏に伝送できる穴が設けられ、
該周波数電流発生器は使用者が持ち歩けるようになっており、また、該周波数電流発生器は二つのプラグ、二本の電源コード及び周波数電流発生装置を含め、その中、各電源コードのそれぞれのプラグは靴のソケットに繋がっており、導電ユニットと連結し、各電源コードの逆方向の端は高、中又は低周波を発する周波数電流発生装置に接続でき、
以上により、導電ユニットは靴内のインソールセットの下に設けられ、且つ持ち歩ける周波数電流発生器と接続できて供電されるため、導電ユニットが高、中又は低周波を発生でき、使用者の足裏のツボを刺激するマッサージ効果をもたらすことができ、いつでもどこでもマッサージ効果を味わえる導電靴を構成していることを特徴とするマッサージ効果を有する導電靴としている。
請求項２の考案は、靴本体のヒール部の周縁に内外を連結し通す挿し穴があり、導電ユニットのソケットを設置することができ、靴内部の下敷きの表面に挿し穴と連結し通す槽があり、導電ユニットのコードを設置することもできることを特徴とする請求項１記載のマッサージ効果を有する導電靴としている。
請求項３の考案は、靴本体はヒールの覆蓋部にガイド槽があり、また、導電ユニットのコードをガイド槽沿いに上の方へ伸ばせるため、靴内部の下敷きの表面にはガイド槽と繋がる層が設けられ、導電ユニットのソケットはヒールの覆蓋部にあるガイド槽の頂上に設置でき、挿入の便利性が高まることを特徴とする請求項１記載のマッサージ効果を有する導電靴としている。
請求項４の考案は、導電ユニットの導電柱は導電パッドの表面に設けられ、導電パッドはコードがソケットと接続する逆方向に連結していることを特徴とする請求項１記載のマッサージ効果を有する導電靴としている。
請求項５の考案は、導電ユニットの導電パッドと導電柱は導電シリコン、導電ゴム、導電布や導電金属シートなどの軽くて曲折性を持つ導電材質で構成されていることを特徴とする請求項１または請求項４記載のマッサージ効果を有する導電靴としている。
請求項６の考案は、インソールセットの下敷きと上敷きとの間に導電材料で作られたマッサージシートがあり、このマッサージシートは導電柱と接触し、また、マッサージシートの表面には使用者の足裏と接触できる複数の突起があり、上敷きにはそれらの突起に対応する穴が設けられているため、突起はこれらの穴を通して上敷きを突出して使用者の足裏と接触し、使用者の足裏に高、中又は低周波を伝導できることを特徴とする請求項１記載のマッサージ効果を有する導電靴としている。
請求項７の考案は、インソールセットの下敷きは軟らかいエマルションや発泡スチールなどの材質で作られたことを特徴とする請求項１または請求項６記載のマッサージ効果を有する導電靴としている。
請求項８の考案は、周波数電流発生装置の電源は一般の電池、蓄積電池や太陽電池からによるものであることを特徴とする請求項１記載のマッサージ効果を有する導電靴としている。
請求項９の考案は、導電ユニットの導電柱はリベット状の構造を使用できることを特徴とする請求項１記載のマッサージ効果を有する導電靴としている。
請求項１０の考案は、靴本体、導電ユニット、インソールセット及び周波数電流発生器を含み、
該靴本体は置きスペースを設け、
該導電ユニットは靴内部に設けられ、少なくとも一つの導電柱を具え、該導電柱は使用者の足裏を刺激する高、中又は低周波を伝送でき、
該インソールセットは下敷きと上敷きを含め、このインソールセットは靴の下敷きと前記導電ユニットとの間に設けられ、且つこの下敷きは導電柱に対応する箇所に穴があり、上敷きには高、中又は低周波を使用者の足裏に伝送するための穴を具え、
該周波数電流発生器は靴内の置きスペースに設けられ、この周波数電流発生器には、高、中又は低周波を供給する周波数電流発生装置が含まれ、この周波数電流発生装置は導電ユニットと連結し、
以上により、導電組は靴内部のインソールセットの下に設置され、持ち歩ける周波数電流発生器と接続して供電されるため、導電ユニットは高、中又は低周波を発生でき、使用者の足裏のツボを刺激するマッサージ効果を与え、いつでもどこでも、マッサージ効果を味わえる導電靴を構成していることを特徴とする請求項１記載のマッサージ効果を有する導電靴としている。
請求項１１の考案は、その中、周波数電流生成器はリモコンでコントロールできることを特徴とする請求項１０記載のマッサージ効果を有する導電靴としている。